(57)【要約】【課題】床下空間部内に送り込んだ温風の熱を利用して床上の暖房を行う床暖房システムにおいて、床上の室内を、コスト的に有利に、しかも、心地良く均一に暖房することができる床暖房システムを提供する。【解決手段】床下空間部３内に送り込まれた温風の熱を利用して床上６の暖房を行う床暖房システムにおいて、床下空間部３の上の床２にカーボングラファイトシート１０が敷設され、床下空間部３の熱がカーボングラファイトシート１０を通じて床上６に伝えられるようになされている。また、床下空間部３に、送り込まれた温風の熱を蓄熱する蓄熱部９が設けられ、該蓄熱部９に蓄熱された熱がカーボングラファイトシート１０を通じて床上６に伝えられるようになされている。【選択図】      図１
2008286435.tif 000002
【特許請求の範囲】
【請求項１】
床下空間部内に送り込まれた温風の熱を利用して床上の暖房を行う床暖房システムにおいて、
床下空間部の上の床にカーボングラファイトシートが敷設され、床下空間部の熱がカーボングラファイトシートを通じて床上に伝えられるようになされていることを特徴とする床暖房システム。
【請求項２】
前記床下空間部に、送り込まれた温風の熱を蓄熱する蓄熱部が設けられ、該蓄熱部に蓄熱された熱がカーボングラファイトシートを通じて床上に伝えられるようになされている請求項１に記載の床暖房システム。
【請求項３】
前記床下空間部が階上の床の床下空間部からなり、階下に空気集熱型太陽熱集熱器が設けられ、該空気集熱型太陽熱集熱器で暖められた空気が、その温度差上昇作用と、階上の床に設けられた通気口と、階上の室を換気する換気用排気手段による排気力とによって、床下空間部に送り込まれ、通気口を通じて階上の室に送り込まれるようになされている請求項１又は２に記載の床暖房システム。
【発明の詳細な説明】
【技術分野】
【０００１】
本発明は、床暖房システムに関する。
【背景技術】
【０００２】
従来より、種々の床暖房システムが提供されているが、床下空間部内に送り込んだ温風の熱を利用して床上の暖房を行う床暖房システムにおいて、床上の室内を、コスト的に有利に、しかも、心地良く均一に暖房できるようになされたものは、未だ提供されていない。
【特許文献１】特開２００４−０２００４４号公報
【特許文献２】特開２００７−０１０３０４号公報
【発明の開示】
【発明が解決しようとする課題】
【０００３】
本発明は、上記のような問題点に鑑み、床下空間部内に送り込んだ温風の熱を利用して床上の暖房を行う床暖房システムにおいて、床上の室内を、コスト的に有利に、しかも、心地良く均一に暖房することができる床暖房システムを提供することを課題とする。
【課題を解決するための手段】
【０００４】
上記の課題は、床下空間部内に送り込まれた温風の熱を利用して床上の暖房を行う床暖房システムにおいて、
床下空間部の上の床にカーボングラファイトシートが敷設され、床下空間部の熱がカーボングラファイトシートを通じて床上に伝えられるようになされていることを特徴とする床暖房システムによって解決される（第１発明）。
【０００５】
この床暖房システムでは、床下空間部内に送り込まれた温風が床下空間部を不均一に流通するものであっても、その熱が、カーボングラファイトシートの一部に伝えられたるだけで、カーボングラファイトシートの面の２次元方向に高速に伝えられ、そして、床上に放熱されるので、床上の室内を心地良く均一に暖房することができる。
【０００６】
従ってまた、床下空間部への温風の送込みは、床下空間部全体の温度を均一に加温しうるようなものである必要はなく、床下空間部への温風の送込みを簡素な温風送込み機構によって実現することができて、床暖房システムのコストを低く抑えることができる。
【０００７】
第１発明において、前記床下空間部に、送り込まれた温風の熱を蓄熱する蓄熱部が設けられ、該蓄熱部に蓄熱された熱がカーボングラファイトシートを通じて床上に伝えられるようになされているとよい（第２発明）。
【０００８】
このシステムでは、送り込まれた温風の熱を蓄熱部が不均一に蓄熱しても、あるいは、蓄熱部が床下空間部において平面方向の一部にのみ設けられていたり、不均一に設けられていても、蓄熱部から放熱された熱が、カーボングラファイトシートの一部に伝えられたるだけで、カーボングラファイトシートの面の２次元方向に高速に伝えられ、そして、床上に放熱されるので、床上の室内を心地良く均一に蓄熱暖房することができる。
【０００９】
第１，第２発明において、前記床下空間部が階上の床の床下空間部からなり、階下に空気集熱型太陽熱集熱器が設けられ、該空気集熱型太陽熱集熱器で暖められた空気が、その温度差上昇作用と、階上の床に設けられた通気口と、階上の室を換気する換気用排気手段による排気力とによって、床下空間部に送り込まれ、通気口を通じて階上の室に送り込まれるようになされているとよい（第３発明）。
【００１０】
このシステムでは、階上の室を換気する換気用排気手段を駆動するだけで、あとは自然力によって階上の室を暖房することができ、少ないコストで大きな暖房効果を得ることができる。しかも、通気口を通じた室内への温風の吹込みと床暖房とによって、効果的で心地良い暖房を実現することができる。
【発明の効果】
【００１１】
本発明は、以上のとおりのものであるから、床下空間部内に送り込んだ温風の熱を利用して床上の暖房を行う床暖房システムにおいて、床上の室内を心地良く均一に暖房することができる。
【発明を実施するための最良の形態】
【００１２】
次に、本発明の実施最良形態を図面に基づいて説明する。
【００１３】
図１（イ）（ロ）に示す実施形態の床暖房システムにおいて、１は２階建ての建物で、２階の床２は、浮き床構造になっていて床下空間部３を備え、該床下空間部３に開口するように、南側の外壁には温風取入れ口４が設けられ、１階の南側の外壁部には、空気集熱型太陽熱集熱器５が設置され、該太陽熱集熱器５の上部吹出し口５ａが温風取入れ口４に連通状態に接続されている。
【００１４】
また、２階の床２には、床下空間部３と２階の室６とを連通する通気口７が設けられると共に、２階の室６は、小屋裏に設置された換気用排気手段としての排気装置８によって換気されるようになされており、太陽熱集熱器５で暖められた空気が、その温度差上昇作用と、通気口７と、排気装置８の駆動とによって、床下空間部３に送り込まれると共に、通気口７を通じて階上の室６に送り込まれるようになされている。
【００１５】
そして、床下空間部３には、そこに送り込まれた温風の熱を蓄熱する蓄熱部９が設けられると共に、床下空間部３の上の床２にはカーボングラファイトシート１０が敷設され、床下空間部３に送り込まれた温風の熱がカーボングラファイトシート１０を通じて床上の室６に伝えられると共に、床下空間部３に送り込まれた温風の熱を蓄熱した蓄熱部９の熱が、同じくカーボングラファイトシート１０を通じて床上の室６に伝えられるようになされている。
【００１６】
上記の床暖房システムでは、図２（イ）に示すように、冬季の晴れた日中は、排気装置８を駆動しておくことにより、太陽熱集熱器５で集熱された太陽熱が、その温度差上昇作用と、排気装置８の駆動とによって、温風となって２階の床下空間部３に送り込まれ、その温風の熱が、カーボングラファイトシート１０の一部において伝えられると、カーボングラファイトシート１０の広い範囲に高速で伝わっていき、その熱が２階の室６に伝えられて、２階の室６が心地良く均一に暖房される。
【００１７】
また、床下空間部３に送り込まれた温風は、通気口７を通じて、２階の室６に、温風として送り込まれる。更に、床下空間部３に送り込まれた温風によって、蓄熱部９が太陽熱を蓄熱していく。
【００１８】
そして、図２（ロ）に示すように、夜間は、排気装置８を停止しておけば、日中に蓄熱部９に蓄熱された太陽熱が蓄熱部９から床下空間部３放熱され、その熱が、カーボングラファイトシート１０の一部において伝えられると、カーボングラファイトシート１０の広い範囲に高速で伝わっていき、２階の室６に伝えられて、２階の室６が引き続き心地良く均一に暖房される。
【００１９】
このように、上記の床暖房システムは、床下空間部３内に送り込んだ温風の熱を利用して床上の室６の暖房を行うものでありながら、カーボングラファイトシート１０を使用したことによって、床上の室６を心地良く均一に暖房することができ、しかも、床下空間部３への温風の送込みは、床下空間部３全体の温度を均一に加温しうるものである必要はなく、床下空間部３への温風の送込みを簡素な温風送込み機構によって実現することができて、床暖房システムのコストを低く抑えることができる。
【００２０】
また、太陽の射す日中は、排気装置８を駆動しておくだけで、あとは自然力によって２階の室６を暖房でき、少ないコストで大きな暖房効果を得ることができ、しかも、通気口７を通じた室６への温風の吹込みと床暖房とによって、効果的で心地良い暖房を実現することができる。
【００２１】
更に、蓄熱部９による蓄熱が不均一なものであっても、あるいは、蓄熱部９が床下空間部３において平面方向の一部にのみ設けられたものであっても、また、不均一に設けられたものであっても、カーボングラファイトシート１０によって、夜間は、床上の室６を心地良く均一に蓄熱暖房することができる。
【００２２】
以上に、本発明の実施形態を示したが、本発明はこれに限られるものではなく、発明思想を逸脱しない範囲で各種の変更が可能である。例えば、上記の実施形態では、階上の床下空間部を利用した床暖房システムに構成した場合を示したが、第１，第２発明では、建物１階の床下を利用した床暖房システムに構成してもよいし、温風についても、太陽熱によらない温風を利用した床暖房システムに構成してもよい。また、第３発明の空気集熱型太陽熱集熱器には、種々の形式の空気集熱型太陽熱集熱器が用いられてよい。
【図面の簡単な説明】
【００２３】
【図１】実施形態の床暖房システムを示すもので、図（イ）は全体正面図、図（ロ）は要部拡大正面図である。
【図２】図（イ）及び図（ロ）はそれぞれ、同床暖房システムの作動状態を示す正面図である。
【符号の説明】
【００２４】
２…床
３…床下空間部
５…空気集熱型太陽熱集熱器
６…床上の室
７…通気口
８…排気装置（換気用排気手段）
９…蓄熱部
１０…カーボングラファイトシート
【図１】
2008286435.tif 000003
【図２】
2008286435.tif 000004